(57)【要約】【課題】部品点数の削減を図りつつ安定した制御電源電圧を供給可能とする。【解決手段】点灯装置１は、常用電力及び非常用電力から制御電源を作成して制御回路１６に供給する制御電源回路１７と、定電流回路１２の出力電圧を光源ユニット２の点灯開始電圧よりも高い上限電圧Ｖ２以下に制限する電圧制限回路１８とを備える。制御回路１６は、常用電力が供給されている場合、第１及び第３のスイッチ素子１３、１５をオンし、かつ、第２のスイッチ素子１４をオフするように構成される。制御回路１６は、常用電力が供給されていないとみなされる場合、第１及び第３のスイッチ素子１３、１５をオフし、かつ、第２のスイッチ素子１４をオンした後、第３のスイッチ素子１５をオンするように構成される。【選択図】        図１
2018181767.tif 000002
【特許請求の範囲】
【請求項１】
常用電源から供給される常用電力を電力変換する電力変換回路と、
光源に供給される負荷電力を調整するスイッチング電源回路と、
前記電力変換回路から前記スイッチング電源回路への常用電力の供給を入切する第１のスイッチ素子と、
非常用電源から前記スイッチング電源回路への非常用電力の供給を入切する第２のスイッチ素子と、
前記スイッチング電源回路から前記光源への前記負荷電力の供給を入切する第３のスイッチ素子と、
前記第１乃至第３のスイッチ素子をオン・オフする制御回路と、
前記常用電力及び前記非常用電力から制御電源を作成して前記制御回路に供給する制御電源回路と、
前記スイッチング電源回路の出力電圧を前記光源の点灯開始電圧よりも高い上限電圧以下に制限する電圧制限回路と
を備え、
前記制御回路は、前記常用電力が供給されている場合、前記第１及び第３のスイッチ素子をオンし、かつ、前記第２のスイッチ素子をオフするように構成され、
前記制御回路は、前記常用電力が供給されていないとみなされる場合、前記第１及び第３のスイッチ素子をオフし、かつ、前記第２のスイッチ素子をオンした後、第３のスイッチ素子をオンするように構成される
ことを特徴とする点灯装置。
【請求項２】
前記電圧制限回路は、定電圧素子と抵抗素子の直列回路を有し、前記スイッチング電源回路の出力端間に電気的に接続されている
ことを特徴とする請求項１記載の点灯装置。
【請求項３】
前記第３のスイッチ素子と前記光源の直列回路が前記スイッチング電源回路の出力端間に電気的に接続されている
ことを特徴とする請求項１又は２記載の点灯装置。
【請求項４】
前記制御回路は、前記常用電力が供給されていないとみなされる場合、前記第３のスイッチ素子をオフするよりも先に前記第２のスイッチ素子をオンするように構成される
ことを特徴とする請求項１〜３のいずれか１項に記載の点灯装置。
【請求項５】
請求項１〜４のいずれかに記載の点灯装置と、
前記点灯装置が点灯させる光源と、
前記点灯装置及び前記光源を支持する器具本体と
を備える
ことを特徴とする照明器具。
【請求項６】
前記器具本体は、蓄電池を支持するように構成されている
ことを特徴とする請求項５記載の照明器具。
【発明の詳細な説明】
【技術分野】
【０００１】
本発明は、点灯装置及び照明器具に関し、より詳細には、常用電源と非常用電源の両方から択一的に供給される電力で光源を点灯させる点灯装置、及び当該点灯装置を備える照明器具に関する。
【背景技術】
【０００２】
従来例として特許文献１記載の点灯装置を例示する。特許文献１記載の点灯装置は、常用電源（商用電源）から供給される交流電力で光源回路を点灯させるとともに蓄電池を充電し、常用電源の停電時に蓄電池を電源として光源回路を点灯させるように構成されている。この点灯装置は、常用電源から整流回路を介して供給される脈流電圧を直流電圧に変換する第１の直流直流変換回路と、蓄電池から供給される直流電圧を所定の直流電圧に変換する第２の直流直流変換回路とを備えている。また、点灯装置は、第１の直流直流変換回路から光源回路への直流電力の供給を遮断する第１のスイッチ回路と、第２の直流直流変換回路から光源回路への直流電力の供給を遮断する第２のスイッチ回路と備えている。さらに、点灯装置は、第１の直流直流変換回路が出力する直流電圧から制御電源を作成する第１の制御電源回路と、第２の直流直流変換回路が出力する直流電圧から制御電源を作成する第２の制御電源回路とを備えている。また、点灯装置は、第１及び第２の制御電源回路から供給される制御電源電圧で動作するマイコンを備えている。マイコンは、常用電源から給電されている間、第１のスイッチ回路を制御して第１の直流直流変換回路から供給される直流電力で光源回路を点灯させて常用照明を行う。また、マイコンは、常用電源が停電すると第１のスイッチ回路を制御して第１の直流直流変換回路から光源回路への給電路を遮断して光源回路を一旦消灯させる。さらに、マイコンは、光源回路を消灯させてから所定時間が経過すると、第２のスイッチ回路を制御して第２の直流直流変換回路から第２のスイッチ回路を経由して供給する直流電力により、光源回路を点灯させて非常用照明を行う。
【０００３】
ここで、常用電源が停電してから第２の直流直流変換回路が動作するまでの期間において、マイコンは、第１の制御電源回路が有する平滑コンデンサに充電されている電荷によって動作することが可能である。ただし、平滑コンデンサは、所定時間の経過前に充電電荷がなくならないよう、ある程度大きな静電容量を有するコンデンサ（例えば、電解コンデンサ）で構成される必要がある。
【先行技術文献】
【特許文献】
【０００４】
【特許文献１】特開２０１２−３９９１号公報
【発明の概要】
【発明が解決しようとする課題】
【０００５】
ところで、特許文献１記載の従来例では、マイコンのための制御電源を作成するために２つの制御電源回路（第１及び第２の制御電源回路）を備えている。しかも、上記従来例では、第１の制御電源回路を構成する平滑コンデンサが静電容量の大きいコンデンサで構成される必要がある。そのため、上記従来例は部品点数が多くなり、製造コストも高くなってしまう。
【０００６】
本発明の目的は、部品点数の削減を図りつつ安定した制御電源電圧を供給可能な点灯装置及び照明器具を提供することである。
【課題を解決するための手段】
【０００７】
本発明の一態様に係る点灯装置は、常用電源から供給される常用電力を電力変換する電力変換回路と、光源に供給される負荷電力を調整するスイッチング電源回路とを備える。前記点灯装置は、前記電力変換回路から前記スイッチング電源回路への常用電力の供給を入切する第１のスイッチ素子と、非常用電源から前記スイッチング電源回路への非常用電力の供給を入切する第２のスイッチ素子とを備える。前記点灯装置は、前記スイッチング電源回路から前記光源への前記負荷電力の供給を入切する第３のスイッチ素子と、前記第１乃至第３のスイッチ素子をオン・オフする制御回路とを備える。前記点灯装置は、前記常用電力及び前記非常用電力から制御電源を作成して前記制御回路に供給する制御電源回路と、前記スイッチング電源回路の出力電圧を前記光源の点灯開始電圧よりも高い上限電圧以下に制限する電圧制限回路とを備える。前記制御回路は、前記常用電力が供給されている場合、前記第１及び第３のスイッチ素子をオンし、かつ、前記第２のスイッチ素子をオフするように構成される。前記制御回路は、前記常用電力が供給されていないとみなされる場合、前記第１及び第３のスイッチ素子をオフし、かつ、前記第２のスイッチ素子をオンした後、第３のスイッチ素子をオンするように構成される。
【０００８】
本発明の一態様に係る照明器具は、前記点灯装置と、前記点灯装置が点灯させる光源と、前記点灯装置及び前記光源を支持する器具本体とを備える。
【発明の効果】
【０００９】
本発明の点灯装置及び照明器具は、部品点数の削減を図りつつ安定した制御電源電圧を供給することができるという効果がある。
【図面の簡単な説明】
【００１０】
【図１】図１は、本発明の一実施形態に係る点灯装置の回路図である。
【図２】図２は、同上の点灯装置の点検動作を説明するためのタイムチャートである。
【図３】図３Ａは、同上の点灯装置の要部の別の回路構成を示す回路図である。図３Ｂは、同上の点灯装置の要部の更に別の回路構成を示す回路図である。
【図４】図４Ａは、本発明の一実施形態に係る照明器具の下面図である。図４Ｂは、同上の照明器具の側面図である。
【図５】図５は、同上の照明器具の分解斜視図である。
【図６】図６は、同上の照明器具のカバーユニットを外した状態の斜視図である。
【発明を実施するための形態】
【００１１】
本発明の一実施形態に係る点灯装置及び照明器具について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１２】
まず、本実施形態の点灯装置１について図１及び図２を参照して詳細に説明する。点灯装置１は、図１に示すように、電力変換回路１１、定電流回路１２、第１のスイッチ素子１３、第２のスイッチ素子１４、第３のスイッチ素子１５、制御回路１６及び制御電源回路１７を備える。また、点灯装置１は、ダイオードブリッジからなる整流回路ＤＢ及び充電回路１０を備えることが好ましい。さらに、点灯装置１は、一対の常用電源端子Ｔ１１、Ｔ１２と、一対の非常用電源端子Ｔ２１、Ｔ２２と、一対の負荷端子Ｔ３１、Ｔ３２とを備えることが好ましい。
【００１３】
一対の常用電源端子Ｔ１１、Ｔ１２は、常用電源である商用の交流電源１００と電気的に接続されている。つまり、一対の常用電源端子Ｔ１１、Ｔ１２間に交流電源１００から交流電圧（例えば、実効値１００［Ｖ］の交流電圧）が入力される。また、一対の非常用電源端子Ｔ２１、Ｔ２２のうちの一方の非常用電源端子Ｔ２１が非常用電源である蓄電池３の正極と電気的に接続され、他方の非常用電源端子Ｔ２２が蓄電池３の負極と電気的に接続されている。さらに、一対の負荷端子Ｔ３１、Ｔ３２は、光源ユニット２と電気的に接続されている。光源ユニット２は、複数個（図示例では２個）のＬＥＤ（Light Emitting Diode）２０の直列回路を有している。ただし、光源ユニット２が有するＬＥＤ２０の個数は２個に限定されず、１個又は３個以上であっても構わない。光源ユニット２の正極（ＬＥＤ２０のアノード）に一方の負荷端子Ｔ３１が電気的に接続され、光源ユニット２の負極（ＬＥＤ２０のカソード）に他方の負荷端子Ｔ３２が電気的に接続されている。
【００１４】
整流回路ＤＢの一対の入力端子のそれぞれが一対の常用電源端子Ｔ１１、Ｔ１２のうちの対応する常用電源端子Ｔ１１、Ｔ１２と電気的に接続されている。整流回路ＤＢは、交流電源１００から供給される正弦波の交流電圧を全波整流し、全波整流した電圧（脈流電圧）を一対の出力端子から電力変換回路１１に出力する。
【００１５】
電力変換回路１１は、例えば、絶縁型のフライバックコンバータで構成されることが好ましい。電力変換回路１１は、絶縁トランス１１０、第１スイッチング素子１１１、第１ダイオード１１２、第１平滑コンデンサ１１３、第１ドライバ回路１１４などを有する。絶縁トランス１１０の１次巻線の一端が整流回路ＤＢの高電位側の出力端子と電気的に接続され、絶縁トランス１１０の１次巻線の他端が第１スイッチング素子１１１のドレインと電気的に接続されている。第１スイッチング素子１１１は、例えば、エンハンスメント形のｎチャネルＭＯＳＦＥＴ（Metal Oxide Semiconductor Field Effect Transistor）で構成されることが好ましい。第１スイッチング素子１１１のソースは整流回路ＤＢの低電位側の出力端子と電気的に接続される。絶縁トランス１１０の２次巻線の一端に第１ダイオード１１２のアノードが電気的に接続され、第１ダイオード１１２のカソードが第１平滑コンデンサ１１３の高電位側の端子と電気的に接続されている。第１平滑コンデンサ１１３の低電位側の端子と絶縁トランス１１０の２次巻線の他端が電気的に接続されている。第１ドライバ回路１１４は、市販のドライバＩＣ（Integrated Circuit）、例えば、ミツミ電機社製のＬＥＤ照明用１次側制御電源ＩＣ（型番：MM3460XF）などで構成されることが好ましい。第１ドライバ回路１１４は、第１スイッチング素子１１１を高周波でスイッチングし、例えば、第１スイッチング素子１１１のスイッチング動作をパルス幅変調することにより、電力変換回路１１の出力電圧を定電圧化する。また、第１ドライバ回路１１４は、交流電源１００から一対の常用電源端子Ｔ１１、Ｔ１２に入力される入力電流を正弦波に近付けて力率を改善するように構成されている。なお、第１平滑コンデンサ１１３の高電位側の端子が電力変換回路１１の正極の出力端子となり、第１平滑コンデンサ１１３の低電位側の端子が電力変換回路１１の負極の出力端子となる。そして、電力変換回路１１の一対の出力端子間に、２つの抵抗素子Ｒ１、Ｒ２の直列回路からなる分圧回路が電気的に接続されている。
【００１６】
電力変換回路１１の高電位側の出力端子に第１のスイッチ素子１３のドレインが電気的に接続されている。第１のスイッチ素子１３は、例えば、デプレッション形のｐチャネルＭＯＳＦＥＴで構成されることが好ましい。第１のスイッチ素子１３のソースは定電流回路１２の高電位側の入力端子と電気的に接続されている。また、定電流回路１２の低電位側の入力端子は電力変換回路１１の低電位側の出力端子と電気的に接続されている。つまり、第１のスイッチ素子１３がオン状態のときに電力変換回路１１の出力電圧が定電流回路１２の一対の入力端子間に印加され、第１のスイッチ素子１３がオフ状態のときは電力変換回路１１の出力電圧が定電流回路１２の一対の入力端子間に印加されない。
【００１７】
定電流回路１２はスイッチング電源回路、例えば、昇圧チョッパ回路で構成されることが好ましい。定電流回路１２は、第２スイッチング素子１２０、インダクタ１２１、第２ダイオード１２２、第２平滑コンデンサ１２３、第２ドライバ回路１２４などを有する。インダクタ１２１の第１端（定電流回路１２の高電位側の入力端子）が第１のスイッチ素子１３のドレインと電気的に接続されている。インダクタ１２１の第２端が第２ダイオード１２２のアノード及び第２スイッチング素子１２０のドレインと電気的に接続されている。第２スイッチング素子１２０は、例えば、エンハンスメント形のｎチャネルＭＯＳＦＥＴで構成されることが好ましい。第２スイッチング素子１２０のソース（定電流回路１２の低電位側の入力端子）は電力変換回路１１の低電位側の出力端子及び第２平滑コンデンサ１２３の低電位側の端子と電気的に接続されている。第２ダイオード１２２のカソードが第２平滑コンデンサ１２３の高電位側の端子と電気的に接続されている。第２ドライバ回路１２４は、例えば、昇圧チョッパ回路を臨界モードで制御して出力電流（光源ユニット２に供給する負荷電流）を定電流化するように構成されることが好ましい。第２ドライバ回路１２４は、第２ドライバ回路１２４のフィードバック端子に入力される検出電圧（負荷電流に比例した電圧）を目標値に一致させるように第２スイッチング素子１２０をスイッチングする。なお、第２平滑コンデンサ１２３の高電位側の端子が定電流回路１２の正極の出力端子となり、第２平滑コンデンサ１２３の低電位側の端子が定電流回路１２の負極の出力端子となる。
【００１８】
検出用の抵抗素子Ｒ３の第１端が第２平滑コンデンサ１２３の低電位側の端子と電気的に接続されている。また、抵抗素子Ｒ３の第２端が第３のスイッチ素子１５のドレインと電気的に接続されている。第３のスイッチ素子１５は、例えば、デプレッション形のｎチャネルＭＯＳＦＥＴで構成されることが好ましい。第３のスイッチ素子１５のソースが負極側の負荷端子Ｔ３２と電気的に接続されている。
【００１９】
電圧制限回路１８は、定電圧素子であるツェナーダイオード１８０と、第１抵抗素子１８１と、第２抵抗素子１８２とを有している。ツェナーダイオード１８０のカソードが第２平滑コンデンサ１２３の高電位側の端子及び正極側の負荷端子Ｔ３１と電気的に接続されている。第１抵抗素子１８１の第１端がツェナーダイオード１８０のアノードと電気的に接続され、第１抵抗素子１８１の第２端が第２抵抗素子１８２の第１端と電気的に接続されている。第２抵抗素子１８２の第２端は抵抗素子Ｒ３の第２端及び第３のスイッチ素子１５のドレインと電気的に接続されている。また、第１抵抗素子１８１の第２端及び第２抵抗素子１８２の第１端が第２ドライバ回路１２４のフィードバック端子と電気的に接続されている。電圧制限回路１８は、一対の負荷端子Ｔ３１、Ｔ３２に印加される電圧（負荷電圧）を上限電圧以下に制限するように構成されている。具体的には、ツェナーダイオード１８０のツェナー電圧が光源ユニット２の点灯開始電圧よりも高い電圧に設定されている。
【００２０】
第２のスイッチ素子１４は、例えば、エンハンスメント形のｐチャネルＭＯＳＦＥＴで構成されることが好ましい。第２のスイッチ素子１４のソースが正極側の非常用電源端子Ｔ２１と電気的に接続され、第２のスイッチ素子１４のドレインがダイオードＤ１のアノードと電気的に接続されている。ダイオードＤ１のカソードは第１のスイッチ素子１３のドレイン、すなわち、定電流回路１２の高電位側の入力端子と電気的に接続されている。なお、一対の非常用電源端子Ｔ２１、Ｔ２２間にコンデンサＣ１が電気的に接続されている。
【００２１】
蓄電池３は、例えば、複数個（図示例では５個）の単電池３０の直列回路で構成されることが好ましい。各単電池３０は、例えば、ニッケル水素電池又はリチウムイオン電池などの２次電池であることが好ましい。ただし、蓄電池３を構成する単電池３０の個数は５個に限定されず、４個以下又は６個以上であっても構わない。
【００２２】
充電回路１０は、電力変換回路１１の出力電流の一部を用いて蓄電池３を充電するように構成されている。充電回路１０は、例えば、シャントレギュレータで構成されることが好ましい。充電回路１０の高電位側の入力端子は第１のスイッチ素子１３のソース（定電流回路１２の高電位側の入力端子）と電気的に接続されている。充電回路１０の高電位側の出力端子は正極側の非常用電源端子Ｔ２１と電気的に接続されている。充電回路１０の低電位側の入力端子及び低電位側の出力端子は負極側の非常用電源端子Ｔ２２と電気的に接続されている。
【００２３】
制御電源回路１７は、例えば、３端子レギュレータのようなシリーズレギュレータで構成されることが好ましい。制御電源回路１７の入力端子は、２つのダイオードＤ２、Ｄ３のそれぞれのカソードと電気的に接続されている。制御電源回路１７の出力端子は、制御回路１６の電源入力端子と電気的に接続されている。制御電源回路１７の共通端子は、電力変換回路１１の低電位側の出力端子と電気的に接続されている。ダイオードＤ２のアノードは電力変換回路１１の高電位側の出力端子と電気的に接続されている。ダイオードＤ３のアノードは定電流回路１２の高電位側の出力端子と電気的に接続されている。制御電源回路１７は、電力変換回路１１の出力電圧及び定電流回路１２の出力電圧から制御電源電圧（例えば、５［Ｖ］〜３［Ｖ］程度の直流電圧）を作成し、作成した制御電源電圧を制御回路１６、電力変換回路１１、定電流回路１２などに供給している。
【００２４】
制御回路１６は、例えば、マイクロコントローラを有することが好ましい。制御回路１６は、制御電源回路１７から制御電源電圧が供給されることによって動作する。制御回路１６は、電力変換回路１１の出力電圧が分圧回路（抵抗素子Ｒ１、Ｒ２の直列回路）で分圧された常用検出電圧を監視し、常用検出電圧の電圧値が判定値以上であれば、常用電源（交流電源１００）の状態を正常（交流電源１００が停電していない）と判定する。一方、制御回路１６は、常用検出電圧の電圧値が判定値未満であれば、常用電源の状態を異常（交流電源１００が停電している）と判定する。
【００２５】
制御回路１６は、常用電源の状態を正常と判定している場合、第１及び第３のスイッチ素子１３、１５をオンし、かつ、第２のスイッチ素子１４をオフする。第１のスイッチ素子１３がオンしているので、電力変換回路１１の出力が第３のスイッチ素子１３を通して定電流回路１２に供給され、かつ、充電回路１０にも供給される。第２のスイッチ素子１４がオフしているので、蓄電池３は、充電回路１０から供給される充電電流によって充電される。また、定電流回路１２は、第３のスイッチ素子１５がオンしているので、第３のスイッチ素子１５を通して光源ユニット２に供給される負荷電流を定電流化する。ここで、定電流回路１２の出力電圧は、光源ユニット２の点灯開始電圧以上であるが電圧制限回路１８のツェナーダイオード１８０のツェナー電圧よりも低い電圧である。したがって、常用電源が正常な状態であり、かつ、光源ユニット２に負荷電流が流れている状態においては、電圧制限回路１８のツェナーダイオード１８０が導通しないので、負荷電流は電圧制限回路１８に流れない。つまり、点灯装置１は、交流電源１００（常用電源）から電源が供給されている場合、交流電源１００から供給される常用電力によって光源ユニット２を点灯させるとともに蓄電池３を充電するように構成されている。
【００２６】
また、制御回路１６は、常用電源の状態を異常と判定している場合、第１のスイッチ素子１３をオフし、かつ、第２及び第３のスイッチ素子１４、１５をオンする。交流電源１００が停電すれば電力変換回路１１の電力供給も停止するが、第２のスイッチ素子１４がオンすることによって、蓄電池３から放電される直流電流がダイオードＤ１を通して定電流回路１２に供給される。定電流回路１２は、蓄電池３から供給される直流電流を定電流化した負荷電流を光源ユニット２に供給する。つまり、点灯装置１は、交流電源１００（常用電源）から常用電力が供給されていない場合、蓄電池３から供給される非常用電力によって光源ユニット２を点灯させるように構成されている。
【００２７】
ところで、非常用照明を行う照明器具（非常用照明器具）においては、消防法によって定期的な点検作業が義務づけられている。そのため、点灯装置１は、点検作業を行うための点検スイッチ１９を備えている。点検スイッチ１９は、例えば、常開接点と押釦を有し、押釦が押操作されることで常開接点を閉じる（オンする）ように構成された押釦スイッチを有することが好ましい。制御回路１６は、交流電源１００の状態を正常と判定している場合に点検スイッチ１９の状態を監視し、点検スイッチ１９がオンしたときに点検動作を行うように構成されている。
【００２８】
次に、図２のタイムチャートを参照しながら、制御回路１６の点検動作を詳細に説明する。なお、図２のタイムチャートは、第１乃至第３のスイッチ素子１３〜１５の状態（オン状態及びオフ状態）、負荷電流、定電流回路１２の出力電圧、及び光源ユニット２の状態（点灯状態及び消灯状態）をそれぞれ表している。また、図２のタイムチャートにおける横軸は時刻ｔを表している。
【００２９】
点検動作を開始した制御回路１６は、最初に第１のスイッチ素子１３をオフし、かつ、第２のスイッチ素子１４をオンする（時刻ｔ＝ｔ１）。第１のスイッチ素子１３がオフすることによって充電回路１０が停止して蓄電池３の充電を中止する。続いて、制御回路１６は、第３のスイッチ素子１５をオフすることで定電流回路１２から光源ユニット２への負荷電流の供給を停止し、光源ユニット２を消灯する（時刻ｔ＝ｔ２）。定電流回路１２は第３のスイッチ素子１５がオフしても定電流動作を継続するので、定電流回路１２の第２ドライバ回路１２４は、定電流回路１２の出力電圧を通常時（交流電源１００が停電していない時）の電圧Ｖ１から徐々に上昇させる。そして、定電流回路１２の出力電圧が電圧制限回路１８の上限電圧Ｖ２に達すると、ツェナーダイオード１８０が導通することで電圧制限回路１８に電流が流れ始める（時刻ｔ＝ｔ３）。電圧制限回路１８に流れる電流の大きさは、定電流回路１２の出力電圧と、ツェナーダイオード１８０のツェナー電圧と、第１抵抗素子１８１の抵抗値と、第２抵抗素子１８２の抵抗値とによって決まる。なお、定電流回路１２の出力電圧が電圧制限回路１８の上限電圧Ｖ２に達するまでの期間（時刻ｔ＝ｔ２から時刻ｔ＝ｔ３の期間）においても、制御電源回路１７に定電流回路１２の出力電圧が印加され続ける。
【００３０】
制御回路１６は、時刻ｔ＝ｔ４に第３のスイッチ素子１５をオンする。第３のスイッチ素子１５がオンすることで定電流回路１２の出力電流（負荷電流）が光源ユニット２にも流れ始めて光源ユニット２が点灯する。つまり、制御回路１６は、時刻ｔ＝ｔ２から時刻ｔ＝ｔ４までの期間だけ光源ユニット２を消灯させる。このとき（時刻ｔ＝ｔ４）、定電流回路１２の出力電圧が光源ユニット２の点灯開始電圧よりも高い上限電圧Ｖ２まで上昇しているので、第２ドライバ回路１２４のフィードバック端子に入力される検出電圧も目標値を上回っている。そのため、第２ドライバ回路１２４は、フィードバック端子に入力される検出電圧を目標値に一致させるように第２スイッチング素子１２０をスイッチングする。その結果、定電流回路１２の出力電圧が通常時の電圧Ｖ１に戻るので、ツェナーダイオード１８０が不導通となる（時刻ｔ＝ｔ５）。
【００３１】
ここで、制御回路１６が光源ユニット２を消灯させる期間（時刻ｔ＝ｔ２から時刻ｔ＝ｔ４までの期間）を設けずに第１及び第２のスイッチ素子１３、１４の状態を切り替えた場合、光源ユニット２が点灯し続ける。そのため、点検作業を行う作業者に蓄電池３からの電力供給が開始されたことを認識させることが困難である。そこで、制御回路１６は、点検作業の開始直後に光源ユニット２を消灯させる期間（以下、切替期間と呼ぶ）を設けることにより、作業者に蓄電池３からの電力供給が開始されたことを容易に認識させるように構成されている。しかも、切替期間においては、定電流回路１２が蓄電池３から供給される電力で動作するため、制御電源回路１７は制御電源電圧を制御回路１６に供給し続けることができる。さらに、切替期間においては、定電流回路１２の出力電圧が電圧制限回路１８によって上限電圧Ｖ２以下に制限されるので、第２平滑コンデンサ１２３の両端電圧が過剰に上昇することを防ぐことができる。なお、切替期間は、人（作業者）が光源ユニット２の点滅を認識できる程度の短い時間、例えば、１００ミリ秒程度の時間であることが好ましい。
【００３２】
制御回路１６は、点検スイッチ１９がオフすれば、第１のスイッチ素子１３をオンし、かつ、第２のスイッチ素子１４をオフすることで点検動作を終了する。なお、制御回路１６は、点検動作の開始時に第２のスイッチ素子１４をオンする前に第３のスイッチ素子１５をオフしてもよいし、第２のスイッチ素子１４をオンすると同時に第３のスイッチ素子１５をオフしてもよい。ただし、制御回路１６が第２のスイッチ素子１４をオンしてから第３のスイッチ素子１５をオフしない場合、切替期間の初期において制御電源回路１７が電力変換回路１１の第１平滑コンデンサ１１３の残留電荷から制御電源電圧を作成しなければならない。そのため、第１平滑コンデンサ１１３に静電容量の小さい電解コンデンサを用いることが難しい。一方、制御回路１６が第２のスイッチ素子１４をオンしてから第３のスイッチ素子１５をオフする場合、制御電源回路１７は、蓄電池３から供給される非常用電力で制御電源電圧を作成することができる。その結果、第１平滑コンデンサ１１３に静電容量の小さい電解コンデンサを用いることが容易である。
【００３３】
特許文献１記載の従来例は、マイコンのための制御電源を作成するために２つの制御電源回路（第１及び第２の制御電源回路）を備え、かつ、第１の制御電源回路を構成する平滑コンデンサを静電容量の大きいコンデンサで構成する必要があった。そのため、上記従来例は部品点数が多くなり、製造コストも高くなってしまっていた。
【００３４】
これに対して本実施形態の点灯装置１では、光源ユニット２の消灯中（切替期間）にも蓄電池３から供給される電力で定電流回路１２を動作させることにより、１つの制御電源回路１７で安定した制御電源電圧を供給し続けることができる。そのため、点灯装置１は、２つの制御電源回路を備える特許文献１記載の従来例と比較して、部品点数の削減を図りつつ安定した制御電源電圧を供給することが可能である。
【００３５】
ところで、第３のスイッチ素子１５は、図３Ａに示すように、電圧制限回路１８の高電位側の端子と正極側の負荷端子Ｔ３１の間に挿入されても構わない。この場合、第３のスイッチ素子１５は、第１のスイッチ素子１３と同様に、デプレッション形のｐチャネルＭＯＳＦＥＴで構成されることが好ましい。ただし、市販されているＭＯＳＦＥＴは、デプレッション形よりもエンハンスメント形の方が種類が豊富であるので、図１に示したようにエンハンスメント形のＭＯＳＦＥＴで第３のスイッチ素子１５を構成する回路構成が好ましい。
【００３６】
また、図３Ｂに示すように、限流素子としての抵抗素子Ｒ４と第３のスイッチ素子１５の直列回路が、定電流回路１２の出力端間に電圧制限回路１８と電気的に並列接続されても構わない。この場合、第３のスイッチ素子１５は、エンハンスメント形のｎチャネルＭＯＳＦＥＴで構成されることが好ましい。第３のスイッチ素子１５がオンすることで定電流回路１２の出力端間が短絡されて光源ユニット２が消灯し、第３のスイッチ素子１５がオフすることで光源ユニット２が点灯する。ただし、第３のスイッチ素子１５だけでなく限流素子（抵抗素子Ｒ４）が必要となるので、部品の増加を抑えるためには、図１に示したように第３のスイッチ素子１５と光源ユニット２の直列回路が定電流回路１２の出力端間に電気的に接続されることが好ましい。
【００３７】
次に、本実施形態の照明器具４について、図４Ａ〜図６を参照して詳細に説明する。本実施形態の照明器具４は、例えば、集合住宅の共用部の通路における天井１０１に直付けされる非常用照明器具である。ただし、照明器具４は壁に直付けされてもよい。あるいは、照明器具４は非常階段などの避難通路に設置される階段通路誘導灯であっても構わない。
【００３８】
照明器具４は、図４Ａ及び図４Ｂに示すように、器具本体４０とカバーユニット４１とを備えている。器具本体４０は、図５に示すように、アルミなどの金属材料によって、下面が開口した扁平な円筒形状に形成されている。なお、以下の説明においては、図５において照明器具４の上下、左右及び前後の各方向を規定する。
【００３９】
器具本体４０の下面の中心に円形の電源穴４００が貫通している。器具本体４０の下面の中心に対して点対称な位置に、長円形の一対のボルト挿通穴４０１が貫通している。器具本体４０の各ボルト挿通穴４０１には、天井１０１から下向きに突き出している２本の吊りボルト１０２がそれぞれ１本ずつ挿通される。そして、各ボルト挿通穴４０１に挿通された吊りボルト１０２にナット１０３が締め付けられることによって器具本体４０が天井１０１に固定される（図５及び図６参照）。
【００４０】
器具本体４０の下面における電源穴４００よりも後方の位置に点灯装置１が取り付けられている。点灯装置１は、合成樹脂製のカバー４０２で覆われている。また、カバー４０２の下面における後端の位置にスイッチカバー４０３が設けられている。スイッチカバー４０３の下面に円形の操作穴４０３０が設けられている。この操作穴４０３０には、カバー４０２内に収容されている点検スイッチ１９の押釦を押操作するための操作部材４０３１が上下方向に移動可能に挿入されている。つまり、上向きに移動させられた操作部材４０３１によって点検スイッチ１９の押釦が押操作される。
【００４１】
器具本体４０の下面における電源穴４００の前方に、蓄電池収容部４０４が設けられている。蓄電池収容部４０４は、下面が開口した箱状に形成され、下面の開口を通して出し入れ可能に蓄電池３を収容するように構成されている。蓄電池カバー４０５は板状に形成され、蓄電池収容部４０４の下面の開口を開閉可能に塞ぐように構成されている。
【００４２】
また、器具本体４０の下面における電源穴４００の前方に端子台４０６が取り付けられている。端子台４０６は、合成樹脂製の筐体内に複数のねじなし端子（速結端子）を収容して構成されることが好ましい。端子台４０６は、点灯装置１の常用電源端子Ｔ１１、Ｔ１２と電気的に接続されている電線と、器具本体４０の電源穴４００から引き込まれる電源ケーブル５とを電気的に接続する。
【００４３】
器具本体４０の下面には取付板４２がねじ止めされる（図６参照）。取付板４２は、アルミなどの金属材料によって円板状に形成されることが好ましい。取付板４２の下面に光源ユニット２が取り付けられている。光源ユニット２は、ＬＥＤから放射される光の配光を制御するドーム形の配光部材２１と、配光部材２１を保持するホルダ２２とを有することが好ましい（図５参照）。取付板４２は、負荷電線２３を通すための貫通孔４２０と、スイッチカバー４０３を露出させるための開口部４２１とを有している。光源ユニット２は、貫通孔４２０に挿通される負荷電線２３によって点灯装置１の負荷端子Ｔ３１、Ｔ３２と電気的に接続されている。開口部４２１は、取付板４２の後端部分が矩形に切り欠かれて形成されることが好ましい。取付板４２が器具本体４０に取り付けられた状態において、スイッチカバー４０３の下面が開口部４２１を通して取付板４２の下面に露出する（図６参照）。なお、取付板４２は、吊り紐４２２によって器具本体４０に吊り下げられることが好ましい（図５参照）。
【００４４】
カバーユニット４１は、透光カバー４１０と枠体４１１を有することが好ましい（図４Ｂ、図５及び図６参照）。透光カバー４１０は、ガラスのような透光性を有する不燃性の材料によって、おおよそ半球状に形成されることが好ましい。ただし、透光カバー４１０は乳白色の塗料などで塗装されることが好ましい。枠体４１１はアルミなどの金属材料によって円筒形状に形成されることが好ましい。透光カバー４１０は、枠体４１１の下側の開口から下向きに突出するようにして枠体４１１に取り付けられる（図４Ｂ参照）。枠体４１１の内周面における上端近くに雌ねじが形成されることが好ましい。また、枠体４１１は、吊り紐４１２によって器具本体４０に吊り下げられることが好ましい（図５参照）。
【００４５】
カバーユニット４１は、器具本体４０の周壁の外周面に形成されている雄ねじと、枠体４１１の内周面に形成されている雌ねじとが噛み合わされることによって、着脱可能に器具本体４０に取り付けられる（図４Ａ及び図４Ｂ参照）。すなわち、点検作業を行う作業者は、器具本体４０からカバーユニット４１を取り外し、吊り紐４１２によってカバーユニット４１を器具本体４０に吊り下げた状態で操作部材４０３１を上向きに押して点検動作を開始させることが好ましい（図６参照）。
【００４６】
なお、器具本体４０は、非常用電源である蓄電池３を収容する蓄電池収容部４０４を有していなくても構わない。つまり、器具本体４０の外に設置されている非常用電源と、器具本体４０に取り付けられている点灯装置１の一対の非常用電源端子Ｔ２１、Ｔ２２とが電源線で電気的に接続されても構わない。
【００４７】
上述のように点灯装置１は、常用電源（交流電源１００）から供給される常用電力を電力変換する電力変換回路１１と、光源（光源ユニット２）に供給される負荷電力を調整するスイッチング電源回路（定電流回路１２）とを備える。点灯装置１は、電力変換回路１１から定電流回路１２への常用電力の供給を入切する第１のスイッチ素子１３と、非常用電源（蓄電池３）から定電流回路１２への非常用電力の供給を入切する第２のスイッチ素子１４とを備える。点灯装置１は、定電流回路１２から光源ユニット２への負荷電力の供給を入切する第３のスイッチ素子１５と、第１乃至第３のスイッチ素子１３〜１５をオン・オフする制御回路１６とを備える。点灯装置１は、常用電力及び非常用電力から制御電源を作成して制御回路１６に供給する制御電源回路１７と、定電流回路１２の出力電圧を光源ユニット２の点灯開始電圧よりも高い上限電圧Ｖ２以下に制限する電圧制限回路１８とを備える。制御回路１６は、常用電力が供給されている場合、第１及び第３のスイッチ素子１３、１５をオンし、かつ、第２のスイッチ素子１４をオフするように構成される。制御回路１６は、常用電力が供給されていないとみなされる場合、第１及び第３のスイッチ素子１３、１５をオフし、かつ、第２のスイッチ素子１４をオンした後、第３のスイッチ素子１５をオンするように構成される。ただし、常用電力が供給されていないとみなされる場合とは、交流電源１００が停電した場合と、点検動作を開始する場合とを含んでいる。
【００４８】
点灯装置１は上述のように構成されるので、第３のスイッチ素子をオフし、かつ、第２のスイッチ素子１４をオンして光源ユニット２を消灯させている期間に、蓄電池３から供給される非常用電力によって制御電源回路１７に制御電源電圧を作成させることができる。しかも、前記期間において、定電流回路１２の出力電圧が電圧制限回路１８によって上限電圧Ｖ２以下に制限されるので、定電流回路１２の出力電圧が過剰に上昇することを防ぐことができる。その結果、点灯装置１は、２つの制御電源回路を備える特許文献１記載の従来例と比較して、部品点数の削減を図りつつ安定した制御電源電圧を供給することができる。
【００４９】
点灯装置１において、電圧制限回路１８は、定電圧素子（ツェナーダイオード１８０）と抵抗素子（第１抵抗素子１８１及び第２抵抗素子１８２）の直列回路を有することが好ましい。電圧制限回路１８は、定電流回路１２の出力端間に電気的に接続されていることが好ましい。
【００５０】
点灯装置１は上述のように構成されるので、簡単な回路構成で電圧制限回路１８を実現することができる。
【００５１】
点灯装置１において、第３のスイッチ素子１５と光源ユニット２の直列回路が定電流回路１２の出力端間に電気的に接続されていることが好ましい。
【００５２】
点灯装置１は上述のように構成されるので、第３のスイッチ素子１５と光源ユニット２の並列回路が定電流回路１２の出力端間に電気的に接続される場合と比較して、部品（限流素子）の増加を抑えることができる。
【００５３】
点灯装置１において、制御回路１６は、常用電力が供給されていないとみなされる場合、第３のスイッチ素子１５をオフするよりも先に第２のスイッチ素子１４をオンするように構成されることが好ましい。
【００５４】
点灯装置１は上述のように構成されるので、制御電源回路１７が蓄電池３から供給される非常用電力で制御電源電圧を作成することができる。その結果、点灯装置１では、第１平滑コンデンサ１１３に静電容量の小さい電解コンデンサを用いることが容易になる。
【００５５】
照明器具４は上述のように、点灯装置１と、点灯装置１が点灯させる光源ユニット２と、点灯装置１及び光源ユニット２を支持する器具本体４０とを備える。
【００５６】
照明器具４は上述のように構成されるので、部品点数の削減を図りつつ安定した制御電源電圧を供給することができる。
【００５７】
照明器具４において、器具本体４０は、蓄電池３を支持するように構成されていることが好ましい。
【００５８】
照明器具４は上述のように構成されるので、蓄電池３を内蔵した非常用照明器具を実現することができる。
【符号の説明】
【００５９】
１  点灯装置
２  光源ユニット（光源）
３  蓄電池（非常用電源）
４  照明器具
１１  電力変換回路
１２  定電流回路（スイッチング電源回路）
１３  第１のスイッチ素子
１４  第２のスイッチ素子
１５  第３のスイッチ素子
１６  制御回路
１７  制御電源回路
４０  器具本体
１００  交流電源（常用電源）
１８０  ツェナーダイオード（定電圧素子）
１８１  第１抵抗素子
１８２  第２抵抗素子
Ｖ２  上限電圧
【図１】
2018181767.tif 000003
【図２】
2018181767.tif 000004
【図３】
2018181767.tif 000005
【図４】
2018181767.tif 000006
【図５】
2018181767.tif 000007
【図６】
2018181767.tif 000008